(57)【要約】【課題】  残存型枠において、丸太材のままの木で型枠を形成できるとともに、長い年月が経過しても周囲の景観を損なうことがなく、短い丸太材でも使用できること。【解決手段】  不利用木丸太材残存型枠１を用いたコンクリート９の打設は、養生の後、最終的に想像線で示されるように固定枠２より高く、茶浮和紙５の上端より低い位置までコンクリート９が打設される。こうして完成したコンクリート構造物は、表面が自然木の丸太材６で覆われているために周囲の自然の景観を乱さず、風雨や日照に曝されて茶浮和紙５が３ヶ月から１年の間に腐敗・分解して風化・消滅する。さらに長い年月（７年程度）が経過して丸太材６が腐敗して朽ちても、茶浮和紙５は残っていないので、周囲の景観を損なうことはない。また、０．６ｍ〜１ｍの短い丸太材を２〜３本縦に繋いで固定枠２に各々固定して約２ｍの丸太材６としても良い。【選択図】        図３
2005048522.tif 000002
【特許請求の範囲】
【請求項１】
複数の金属製格子を複数の固定金具で互いに接続してコンクリートが打設される幅と高さ程度に設置された固定枠と、
該固定枠を所定の角度に支持する支持部材と、
前記固定枠の全面を覆う紙と、
該紙を間に挟んで前記固定枠に並べて取付けられる１本または複数本を繋ぎ合わせて所望の長さとした複数の丸太材と
を具備することを特徴とする不利用木丸太材残存型枠。
【請求項２】
前記紙は茶浮和紙であることを特徴とする請求項１に記載の不利用木丸太材残存型枠。
【請求項３】
前記紙は一方を波状として二段に重ねたダンボール紙であることを特徴とする請求項１に記載の不利用木丸太材残存型枠。
【請求項４】
前記紙は撥水剤を含浸したものまたは片面もしくは両面に撥水剤を塗布したものであることを特徴とする請求項１に記載の不利用木丸太材残存型枠。
【請求項５】
前記固定枠の前記コンクリートが打設される部分の側面が開放されている場合は、該側面にも前記不利用木丸太材残存型枠を設置することを特徴とする請求項１乃至請求項４のいずれか１つに記載の不利用木丸太材残存型枠。
【請求項６】
前記複数の丸太材の一部または全部が障害木、支障木、或いは間伐材であることを特徴とする請求項１乃至請求項５のいずれか１つに記載の不利用木丸太材残存型枠。
【請求項７】
前記複数の金属製格子に防錆塗装を施したことを特徴とする請求項１乃至請求項６のいずれか１つに記載の不利用木丸太材残存型枠。
【請求項８】
前記丸太材の取付けに鉄バンドを使用することを特徴とする請求項１乃至請求項７のいずれか１つに記載の不利用木丸太材残存型枠。
【発明の詳細な説明】
【技術分野】
【０００１】
本発明は、コンクリート製の擁壁・砂防えん堤等の構造物を施工する際に使用する型枠であって、型枠そのものがコンクリートの打設後にコンクリートの表面に残存する残存型枠に関するものであり、特に森林から伐採された木材のうち建築材等に利用されない丸太材を使用する残存型枠に関するものである。
【背景技術】
【０００２】
従来、コンクリート製の擁壁・砂防えん堤等の構造物を施工する際には、周囲の森林等の景観を損ねないように木材を用いた残存型枠が使われている。この残存型枠は、丸太材の向かい合った側面を平面に切り落として、これらの平面同士を密着させながら次々に積み重ねることによって、木材の間からコンクリートが漏れることなく、周囲の景観に合った木材製の残存型枠となる。
【０００３】
しかし、このような木材製の残存型枠を形成するには、丸太材の両側面を平面に切り落とさなければならず、著しく手間が掛かるとともに切り落とした部分が廃材となってしまう。そこで、丸太材のままの木で型枠を形成するために、約１ｍおきに鋼管を立設してその前に丸太材を横にして積み上げ、上下の丸太材の隙間からコンクリートが漏れるのを防ぐため、ターポリン紙と呼ばれるアスファルトを練り込んだ紙を、並べられた丸太材のコンクリートが打設される側に張り巡らせた残存型枠がある。
【発明の開示】
【発明が解決しようとする課題】
【０００４】
しかしながら、このターポリン紙はアスファルトが練り込まれているため、コンクリート構造物が完成して丸太材とともに残存し、長い年月が経過して丸太材が腐敗して朽ちて行く間にも、ターポリン紙は劣化・腐敗することなく半永久的に元の状態を保つため、周囲の景観を損なう。また、１ｍ以下の短い丸太材は使用できないという問題点があった。
【０００５】
そこで、本発明は、丸太材のままの不利用木で型枠を形成することができるとともに、長い年月が経過しても周囲の景観を損なうことがなく、短い丸太材でも使用することができる不利用木丸太材残存型枠を提供することを課題とするものである。
【課題を解決するための手段】
【０００６】
請求項１の発明にかかる不利用木丸太材残存型枠は、複数の金属製格子を複数の固定金具で互いに接続してコンクリートが打設される幅と高さ程度に設置された固定枠と、該固定枠を所定の角度に支持する支持部材と、前記固定枠の全面を覆う紙と、該紙を間に挟んで前記固定枠に並べて取付けられる１本または複数本を繋ぎ合わせて所望の長さとした複数の丸太材とを具備するものである。
【０００７】
請求項２の発明にかかる不利用木丸太材残存型枠は、請求項１の構成において、前記紙は茶浮和紙であるものである。
【０００８】
請求項３の発明にかかる不利用木丸太材残存型枠は、請求項１の構成において、前記紙は一方を波状として二段に重ねたダンボール紙であるものである。
【０００９】
請求項４の発明にかかる不利用木丸太材残存型枠は、請求項１の構成において、前記紙は撥水剤を含浸したものまたは片面もしくは両面に撥水剤を塗布したものである。
【００１０】
請求項５の発明にかかる不利用木丸太材残存型枠は、請求項１乃至請求項４のいずれか１つの構成において、前記固定枠の前記コンクリートが打設される部分の側面が開放されている場合は、該側面にも前記不利用木丸太材残存型枠を設置するものである。
【００１１】
請求項６の発明にかかる不利用木丸太材残存型枠は、請求項１乃至請求項５のいずれか１つの構成において、前記複数の丸太材の一部または全部が障害木、支障木、或いは間伐材であるものである。
【００１２】
請求項７の発明にかかる不利用木丸太材残存型枠は、請求項１乃至請求項６のいずれか１つの構成において、前記複数の金属製格子に防錆塗装を施したものである。
【００１３】
請求項８の発明にかかる不利用木丸太材残存型枠は、請求項１乃至請求項７のいずれか１つの構成において、前記丸太材の取付けに鉄バンドを使用するものである。
【発明の効果】
【００１４】
請求項１の発明にかかる不利用木丸太材残存型枠は、所定角度に支持された固定枠に紙を張り巡らせて、その上から複数の丸太材をなまし鉄線等で紙を貫通して固定枠に縛り付ける等の方法で取付けたものであるので、複数の丸太材間の隙間を紙が完全に埋めて、コンクリート打設の際にもコンクリートの圧力に耐えてコンクリートが漏れ出すのを確実に防ぐことができる。また、複数の金属製格子を複数の固定金具で互いに接続して固定枠を形成しているので、短い丸太材でも固定枠の何処かに取付けることができ、２本以上の丸太材をつなげて所望の長さとすることができる。丸太材は縦にして並べても、横にして積み上げても、斜めに並べても良い。
【００１５】
そして、コンクリート構造物が完成して丸太材とともに残存した紙は、強度はあるが腐敗性であるために、風雨に曝されるうちに腐敗して分解され、見た目には消滅してしまう。したがって、長い年月が経過して丸太材が腐敗して朽ちて行っても、紙は後に残らないので、環境負荷を与えることもなく、周囲の景観を損なうこともない。なお、実際には、丸太材が表面から腐敗して行くと腐敗した部分が肥料となって、飛来した草木の種子が発芽して丸太材の表面が緑で覆われ、周囲の景観に溶け込む可能性が高いと考えられるが、仮に丸太材が全て朽ちて剥離してしまったとしても、露出したコンクリート表面には丸太材の跡が意匠として残されるので、周囲の景観を乱すことはない。
【００１６】
このようにして、丸太材のままの不利用木で型枠を形成することができるとともに、長い年月が経過しても周囲の景観を損なうことがなく、短い丸太材でも使用することができる不利用木丸太材残存型枠となる。
【００１７】
請求項２の発明にかかる不利用木丸太材残存型枠においては、紙として茶浮和紙を使用している。この茶浮和紙は、原料としてバージンパルプ１００％に湿潤強度剤を混入して機械抄き製法で製造されたもので、湿潤強度剤を混入することによって水を吸っても溶けにくくコンクリートのようなアルカリ性物質にも強い紙になる。また、手では簡単に引き裂けないほどの強度を有するので、コンクリート打設の際にもコンクリートの圧力に耐えてコンクリートが漏れ出すのを確実に防ぐことができる。
【００１８】
そして、コンクリート構造物が完成して丸太材とともに残存した茶浮和紙は、強度はあるが腐敗性であるために、３ヶ月から１年程度風雨に曝されるうちに腐敗して分解され、見た目には消滅してしまう。したがって、長い年月が経過して丸太材が腐敗して朽ちて行っても、茶浮和紙は後に残らないので、環境負荷を与えることもなく、周囲の景観を損なうこともない。
【００１９】
このようにして、コンクリート打設の際のコンクリート漏れを確実に防ぐことができ、周囲の景観を損なうことがない不利用木丸太材残存型枠となる。
【００２０】
請求項３の発明にかかる不利用木丸太材残存型枠においては、一方を波状として二段に重ねたダンボール紙を使用している。請求項１及び請求項２の構成においては、１枚の紙を使用しており、複数の丸太材をなまし鉄線等で紙を貫通して固定枠に縛り付ける等の方法で取付けるので、なまし鉄線等が紙を貫通して生じた穴が拡がるとその穴からコンクリートが漏れてしまう恐れがある。したがって、穴が拡がらないようにシリコーン系等のコーキング剤でコーキングする必要があるが、本発明の一方を波状として二段に重ねたダンボール紙においては穴が拡がる恐れがないのでコーキングする必要がない。しかも、一方を波状としているので二段に重ねたダンボール紙でも伸縮性を有し、丸太材の表面に沿ってぴったり貼り付く。
【００２１】
請求項４の発明にかかる不利用木丸太材残存型枠においては、紙として撥水剤を含浸したものまたは片面もしくは両面に撥水剤を塗布した紙を使用している。したがって、茶浮和紙よりもさらに強度が高くコンクリート打設の際のコンクリート漏れを確実に防ぐことができ、しかも水が沁み込まないのでコンクリートから水と共にモルタルが沁み出すこともなく、コンクリートの強度を確保することができる不利用木丸太材残存型枠となる。
【００２２】
請求項５の発明にかかる不利用木丸太材残存型枠においては、通常は残存型枠が用いられる場所は砂防えん堤のように両側面と後部はコンクリートが堰き止められる地形となっている場合が多いが、残存型枠が用いられる場所によっては固定枠のコンクリートが打設される部分の側面が開放されている場合がある。このような場合には、側面にも不利用木丸太材残存型枠を設置することによって、側面からのコンクリートの漏れを確実に防止することができる不利用木丸太材残存型枠となる。
【００２３】
請求項６の発明にかかる不利用木丸太材残存型枠においては、複数の丸太材の一部または全部が障害木・支障木或いは間伐材である。障害木とは、風害・水害・雪害・森林火災・凍害・虫害等の自然災害によって倒れたり、芯割れを起こしたりして、木材としては使えなくなった木のことであるが、このような木でも丸太のままであれば不利用木丸太材残存型枠の丸太材として、充分使用可能である。また、支障木とは、森林の中にダム等を建設するために邪魔になるという理由で切り倒された木である。
【００２４】
このようにして、通常の木材としては使用できない障害木・支障木或いは間伐材を用いることによって、低コスト化・環境美化・廃材利用に貢献できる不利用木丸太材残存型枠となる。
【００２５】
請求項７の発明にかかる不利用木丸太材残存型枠においては、複数の金属製格子に防錆塗装を施している。不利用木丸太材残存型枠を構成する固定枠の外側において、丸太材と丸太材の合わさる部分にはコンクリートが厚く付くが、丸太材の頂点が当る部分にはコンクリートが殆ど付かないため、固定枠が無垢の金属でできているとその部分から錆びてきてしまう。そこで、固定枠を構成する複数の金属製格子に防錆塗装を施すことによって、固定枠のどの部分に丸太材の頂点が当ってもコンクリートが殆ど付かないからといって錆びることはなく、雨水に強い不利用木丸太材残存型枠となる。
【００２６】
請求項８の発明にかかる不利用木丸太材残存型枠においては、丸太材を固定枠に取付けるのに鉄バンドを使用している。丸太材を固定枠に取付ける方法としては、他にもなまし鉄線を丸太材に巻き付けて茶浮和紙・ダンボール紙等を貫通させ固定枠に縛り付ける方法等があるが、しっかり固定するためには多少時間が掛かる。それに対して、鉄バンドを巻き付けて止める方法においては、鉄バンドのコストがなまし鉄線よりは多少高いが、施工が容易でより短時間で丸太材を固定枠に取付けることができる。
【発明を実施するための最良の形態】
【００２７】
以下、本発明の実施の形態について、図面を参照して説明する。
【００２８】
実施の形態１
まず、本発明の実施の形態１について、図１乃至図４を参照して説明する。
【００２９】
図１は本発明の実施の形態１にかかる不利用木丸太材残存型枠の構造の一部分を示す部分背面図である。図２は本発明の実施の形態１にかかる不利用木丸太材残存型枠における丸太材の取付け手順を示す平面図である。図３は本発明の実施の形態１にかかる不利用木丸太材残存型枠を用いてコンクリートを打設した状態を示す縦断面図である。図４は本発明の実施の形態１にかかる不利用木丸太材残存型枠を用いてコンクリートを打設した際のコンクリートの圧力による変形を示す部分平面図である。
【００３０】
図１に示されるように、本実施の形態１の不利用木丸太材残存型枠１は、金属製格子としての防錆塗装が全面に施された鉄製格子３を固定金具４で縦横に接続して固定枠２を構成し、図示しない複数の支持部材によって所定の角度に立設させている。この固定枠２の外側（図示向う側）から、茶浮和紙５を固定枠２の全面を覆うように張り巡らせ、さらにその外側から固定枠２の高さ（約１．８ｍ）より長い丸太材６（約２ｍ）を、後述するように（Ａ），（Ｂ），（Ｃ）の順番で、茶浮和紙５を間に挟んで固定枠２に取付けて行く。具体的には、丸太材６の１本当り複数箇所になまし鉄線７を巻き付けて茶浮和紙５を貫通させ、固定枠２に縛り付けて止める。こうして組み立てられた不利用木丸太材残存型枠１において、固定枠２は鉄製格子３を縦に三段に組み上げた構成となっている。なまし鉄線７が茶浮和紙５を貫通して生じた穴は、それ以上拡がらないように、シリコーン系のコーキング剤でコーキングしておく。
【００３１】
次に、本実施の形態１の不利用木丸太材残存型枠１における丸太材６の取付けの手順について、図２を参照して説明する。
【００３２】
まず、図２（Ａ）に示されるように、三段に組み上げられた鉄製格子３のうち、上段と下段における固定金具４による接続部分（この部分が一番弱い）に太さのなるべく揃った太めの丸太材６を取付ける。なお、固定枠２と丸太材６の間に張り巡らされている茶浮和紙５は、図示省略されている。丸太材６の取付け方は、上述の如く、丸太材６の１本当り複数箇所になまし鉄線７を巻き付けて茶浮和紙５を貫通させ、固定枠２に縛り付けて止めるものである。
【００３３】
次に、図２（Ｂ）に示されるように、三段に組み上げられた鉄製格子３のうち、中段における固定金具４による接続部分に、やはり太さのなるべく揃った太めの丸太材６を取付ける。そして、最後に図２（Ｃ）に示されるように、これらの丸太材６の間を埋めるように、太さの異なる複数本の丸太材６を組み合わせて隙間のできないようにして固定枠２に取付ける。このようにして、不利用木丸太材残存型枠１が完成する。
【００３４】
次に、本実施の形態１の不利用木丸太材残存型枠１を用いたコンクリートの打設について、図３を参照して説明する。図３に示されるように、固定枠２の固定金具４には、固定枠２を所定の角度に立設させるとともに、コンクリート打設時の圧力に抗して固定枠２を引張る複数本の支持部材８が取付けられている。図３は１回目のコンクリート９の打設後を示す断面図であり、養生の後、２回目のコンクリート９の打設が行われ、最終的に想像線で示されるように固定枠２より高く、茶浮和紙５の上端より低い位置までコンクリート９が打設される。そして、養生の後、コンクリート９が必要養生期間に達した時点で、コンクリート９の上面に揃えて、茶浮和紙５及び丸太材６を切り落とす。
【００３５】
これによって、固定枠２が完全に隠れ、丸太材６とコンクリート９の上面が揃った見栄えの良いコンクリート構造物となる。コンクリート９の打設を２回に分けて行うのは、コンクリート９の打設の際の圧力が不利用木丸太材残存型枠１に与える影響が大きくなり過ぎないようにするためである。
【００３６】
このコンクリート打設の際の圧力が及ぼす影響について、図４の部分平面図を参照して説明する。図４に示されるように、コンクリート打設の際の圧力によって、茶浮和紙５及び丸太材６が押されて、丸太材６と鉄製格子３の間にコンクリート９が入り込んで、図のように湾曲した形状になるとともに、茶浮和紙５が丸太材６と丸太材６の間に入り込んで、コンクリート９の表面に丸太材６が並んだ形状が転写されることになる。
【００３７】
このようにして完成したコンクリート構造物は、表面が自然木の丸太材６で覆われているために、周囲の自然の景観を乱すことがない。そして、風雨や日照に曝されているために、茶浮和紙５が３ヶ月から１年の間に腐敗・分解して風化・消滅してしまう。さらに長い年月（７年程度）が経過して丸太材６が腐敗して朽ちて行っても、茶浮和紙５は後に残らないので、周囲の景観を損なうことはなく、環境負荷を与えることもない。なお、実際には、丸太材６が表面から腐敗して行くと腐敗した部分が肥料となって、飛来した草木の種子が発芽して丸太材６の表面が緑で覆われ、周囲の景観に溶け込む可能性が高いと考えられるが、仮に丸太材６が全て朽ちて剥離してしまったとしても、露出したコンクリート９の表面には並べられた丸太材６の跡が意匠として残されるので、周囲の景観を乱すことはない。
【００３８】
さらに、コンクリート９の打設時に茶浮和紙５を通して水の沁み出しが見られたものの、セメントペーストが沁み出した形跡がないことから、茶浮和紙５を使用したことによってコンシステンシーの改善（コンクリートの流動性等を増すこと）のために入っている水のみが流出し、コンクリート９のＷ／Ｃ（ダブリューバイシー）の改善が図られている。
【００３９】
このようにして、本実施の形態１の不利用木丸太材残存型枠１は、丸太材６のままの木で型枠を形成することができるとともに、長い年月が経過しても周囲の景観を損なうことがなく、短い丸太材でも使用することができる。また、強度の高い茶浮和紙５をコンクリート漏れ防止材として用いているので、コンクリート打設の際のコンクリート漏れを確実に防ぐことができ、さらに固定枠２を構成する複数の鉄製格子３に防錆塗装を施しているため、固定枠２のどの部分に丸太材の頂点が当っても錆びることはなく、雨水に強い不利用木丸太材残存型枠となる。
【００４０】
実施の形態２
次に、本発明の実施の形態２について、図１乃至図４を参考にして説明する。
【００４１】
本実施の形態２の不利用木丸太材残存型枠の構造は、図１乃至図４に示される実施の形態１の不利用木丸太材残存型枠１と殆ど同じである。異なるのは、図１，図３，図４に示される茶浮和紙５の代わりに、一方を波状として二段に重ねたダンボール紙を使用している点である。茶浮和紙５は湿潤強度剤が混入されているので水には強いが、丸太材６の取付けの際になまし鉄線等で貫通穴が開けられるので、この穴が拡がってコンクリートが漏れないようにコーキング剤でコーキングしなければならない。
【００４２】
これに対して、本実施の形態２の不利用木丸太材残存型枠においては、一方を波状として二段に重ねたダンボール紙を使用しているので、波状になっているダンボール紙に貫通穴があいても引張り力が掛からないため、貫通穴がそれ以上拡がる恐れはない。したがって、実施の形態１の場合のようなコーキングは必要なく、工程を短縮することができる。
【００４３】
あとは、図１に示されるように、防錆塗料を塗布した鉄製格子３を固定金具４で縦横に接続して固定枠２を組み立てて、茶浮和紙５の代わりに一方を波状として二段に重ねたダンボール紙で固定枠２の全面を覆い、さらにその上から（Ａ），（Ｂ），（Ｃ）の順に、丸太材６をなまし鉄線７でダンボール紙を間に挟んで固定枠２に取付けて行く。また、ダンボール紙は二重になっている一方が波形になっているので、強度の大きい割には伸縮性があり、コンクリートの圧力を受けたとき、図４に示される茶浮和紙５と同様に、丸太材６の外形に沿って押し付けられる。
【００４４】
このようにして、本実施の形態２の不利用木丸太材残存型枠は、貫通穴にコーキングを施す必要もなく、完成したコンクリート構造物は、表面が自然木の丸太材６で覆われているために、周囲の自然の景観を乱すことがない。そして、風雨や日照に曝されているために、ダンボール紙が数年の間に腐敗・分解して風化・消滅してしまう。さらに長い年月（７年程度）が経過して丸太材６が腐敗して朽ちて行っても、ダンボール紙は後に残らないので、周囲の景観を損なうことはなく、環境負荷を与えることもない。
【００４５】
上記各実施の形態においては、紙として吸水性のある茶浮和紙５及びダンボール紙を用いた場合について説明したが、紙の種類によっては、コンクリートを打設したとき水と共にモルタル（セメントペースト）が沁み出してしまい、コンクリートの強度が出なくなる恐れがある。このような場合には、紙の片面もしくは両面に撥水剤を塗布することによって、撥水剤を塗布した面を固定枠２側に向けて不利用木丸太材残存型枠を構成すれば、水と共にモルタルが沁み出す恐れはなくなり、コンクリートの強度を確保することができる。なお、紙を抄く際に撥水剤を含浸させることもできる。
【００４６】
また、上記各実施の形態においては、丸太材６として１本で約２ｍの長い丸太材を使用した例について説明したが、１本が約０．６ｍ〜約１ｍの短い丸太材を２本或いは３本縦に繋いで固定枠２にそれぞれ固定して約２ｍの長さとしても良い。これによって、木の根の部分等も丸太材６として使用することができ、応用範囲が広くなる。
【００４７】
さらに、丸太材６の一部または全部に障害木・支障木・間伐材を用いることもできる。このようにして、通常の木材としては使用できない障害木・支障木・間伐材を用いることによって、低コスト化・環境美化・廃材利用に貢献することができる。
【００４８】
また、上記各実施の形態においては、丸太材６を縦方向に向けて横に並べた例について説明したが、丸太材６を横方向に向けて積み上げても、斜めに並べても良い。丸太材６を縦方向に向けて並べた場合の利点として、丸太材６と丸太材６の間に雨水が溜まらないので、丸太材６と丸太材６の接触部分が早く腐るのを防止できるという点がある。
【００４９】
さらに、上記各実施の形態においては、丸太材６を固定枠２に取付けるのになまし鉄線７を用いたが、鉄バンドを巻き付けて止める方法を用いても良く、鉄バンドを用いた場合は施工が容易でより短時間で丸太材６を固定枠２に取付けることができる。
【００５０】
本発明を実施するに際しては、不利用木丸太材残存型枠のその他の部分の構成、形状、数量、材質、大きさ、接続関係等についても、上記各実施の形態に限定されるものではない。
【図面の簡単な説明】
【００５１】
【図１】図１は本発明の実施の形態１にかかる不利用木丸太材残存型枠の構造の一部分を示す部分背面図である。
【図２】図２は本発明の実施の形態１にかかる不利用木丸太材残存型枠における丸太材の取付け手順を示す平面図である。
【図３】図３は本発明の実施の形態１にかかる不利用木丸太材残存型枠を用いてコンクリートを打設した状態を示す縦断面図である。
【図４】図４は本発明の実施の形態１にかかる不利用木丸太材残存型枠を用いてコンクリートを打設した際のコンクリートの圧力による変形を示す部分平面図である。
【符号の説明】
【００５２】
１  不利用木丸太材残存型枠
２  固定枠
３  金属製格子
４  固定金具
５  茶浮和紙
６  丸太材
８  支持部材
９  コンクリート
【図１】
2005048522.tif 000003
【図２】
2005048522.tif 000004
【図３】
2005048522.tif 000005
【図４】
2005048522.tif 000006